(57)【要約】【課題】板状の胴体として超軽量で、玩具、ホビーとして又は飛行競技に利用可能とし、手持ち発進した後、無線操縦によって飛行できる組立式模型凧航空機を提供する。【解決手段】バルサ材のような超軽量な素材で先端アール状の垂直板２とこれに続く細板３とを備えた胴体板１と、細板の後端に設けた固定水平尾翼５と可動垂直尾翼６と、垂直板２の後方段部９に設けたモータ１０とプロペラ１１と、垂直板を貫通する複数の開孔部１３，１４に取外し自在に設けた乾電池１５と、無線制御器１７と、尾翼操作部１８と、下方に支持板を有する中央角材２０と、複数の角材２１，２２，２３とによりＡ型骨組みを設け、この骨組みを介してたるみをもたせて合成繊維製シートを張設したカイト翼１２と、から成り、前記カイト翼を前記垂直板の上部に立設した薄板に取外し自在に組み立てた無線操縦の組立式模型凧航空機。【選択図】  図１
2005040407.tif 000002
【特許請求の範囲】
【請求項１】
バルサ材或いは合成樹脂板のような超軽量な素材で先端アール状の垂直板とこれに続く細板とを備えた胴体板と、
前記細板の後端に設けた固定水平尾翼と可動垂直尾翼と、
前記垂直板の後方段部に設けたモータとプロペラと、
前記垂直板を水平方向へ貫通する複数の開孔部を設け、この開孔部に取外し自在に設けた乾電池と、無線制御器と、尾翼操作部と、
下方に支持板を有する中央角材と、この中央角材の先端で折りたたみ可能とした複数の角材とによりＡ型骨組みを設け、この骨組みを介してたるみをもたせて合成繊維シートを張設したカイト翼と、から成り、
前記カイト翼を前記垂直板の上部に立設した薄板に取外し自在に組み立てたことを特徴とする無線操縦の組立式模型凧航空機。
【請求項２】
垂直板の上部に立設した薄板と、カイト翼の中央角材及びこの中央角材に設けた支持部とが着脱自在に係合し組立てられるようにした請求項１記載の無線操縦の組立式模型凧航空機。
【請求項３】
垂直板の上部に立設した薄板をカイト翼の中央角材に設けた支持部が挟持すると共に支持部に設けた角孔に貫通されたカイト翼の角材を前記薄板の後部に当接させ、前方にピンを挿入して前記薄板の前方を固定するように組み立てたことを特徴とする請求項１又は２記載の無線操縦の組立式模型凧航空機。
【請求項４】
胴体板の厚みを約１０ｍｍ、先端アール状の垂直板の高さ約１００ｍｍ、細板の高さ約２５から１２ｍｍで全長約５００ｍｍとし、水平尾翼と可動垂直尾翼及びこれらを取付ける薄板、胴体板の上部に立設したカイト翼の取付用薄板がそれぞれ約２ｍｍの厚みとし、カイト翼、モータとプロペラ、乾電池、無線制御器、垂直尾翼の駆動用ワイヤー等を取外し自在に設置して全重量を約２５０gとした請求項１、２または３記載の無線操縦の組立式模型凧航空機。
【発明の詳細な説明】
【技術分野】
【０００１】
本発明は無線操縦する組立式模型凧航空機に関するもので、より詳しくは全重量約２５０グラムとし、全長約５００ｍｍの超軽量な模型凧航空機であり、胴体、凧、無線操縦機器その他各部分が現場で分解組立することが容易で、手持ち発進ができ手元への帰還又は目的地への到達、低速飛行等も可能とし、安全でホビー用或いは競技用として利用できる凧航空機に関する。
【背景技術】
【０００２】
略三角形のカイト翼を胴体の上部に有し、低速航空で滑空ができ、カイト翼と機体との間にプロペラを備えて加速推進可能とし、無線操縦により安定した飛行ができる模型航空機は公知である。
【０００３】
しかし、従来の模型航空機は、胴体の頭部に丸みと幅を持たせて電池や無線機器、駆動機器等を内装する構成であり、手持ちにより発進させるには機体そのものが大きく、発着に車輪又はフロートを用いる他、ホビーまたは飛行競技に利用するには総重量が重く、万一人に衝突することがあると障害事故が発生する等の難点があった。
【０００４】
装置としても、現場で取り付け組み立てることが難しく、予めカイト翼と胴体を固定した形で搬送する必要があり、プロペラの駆動、垂直尾翼、水平尾翼の可動装置、無線操縦の機器等を機体内に備えるために機体頭部のスペースを大きく取ることとなり、取扱いに労力を要するなどの難点が見られた。
【特許文献１】実開昭５３−９８５３９号マイクロフィルム、航空写真撮影装置。
【特許文献２】特開平７−４０８９７号公報、無線制御航空機。
【特許文献３】特許２６９９２６３号公報(特開平８−３３７７２号公報)、無線操縦小型飛行機。
【発明の開示】
【発明が解決しようとする課題】
【０００５】
本発明は極めて軽量であり、玩具、ホビーとして又は飛行競技に安心して利用することができ、当初手でもって発進させプロペラによる加速推進ができ、無線操縦によって飛行を継続させることが容易であり、低速飛行を可能とし、手元への帰還或いは目的地への到達を安全に図ることができる模型凧航空機を提供しようとするものである。
【０００６】
胴体板が全長約５００ｍｍ、幅約１０ｍｍ、垂直板の高さ約１００ｍｍであり、バルサ材或いは合成樹脂板のような軽量な素材で胴体板が構成され、全重量を約２５０ｇとして、無線機器、バッテリー、モータ、プロペラ等の組立、分解が容易であり、さらにカイト翼自体を折り畳み可能とし、搬送や保管に好都合とし、胴体板に着脱自在に支持することができるようにした。
【０００７】
胴体板の前方にある垂直板の後方に段部を設けモータとプロペラとを設置し、乾電池その他の機器は垂直板を貫通した開孔部にベルト、両面テープその他の固定具により固定できるようにした。カイト翼は約４ｍｍ角の角材を十字に交差させ、適宜の角度で先端部から開いた角材を加えてＡ字型角材とした。このＡ字型角材を骨組みとして合成繊維製のシートを固定したものであり、カイト翼と機体を含めた全重量を約２５０グラムとした超軽量な無線操縦の組立式模型凧航空機を提供したものである。
【課題を解決するための手段】
【０００８】
バルサ材或いは合成樹脂板のような超軽量な素材で先端アール状の垂直板とこれに続く細板とを有する胴体板と、前記垂直板の上部に立設したカイト翼を取付けるための薄板と、前記細板の後端に立設した尾翼用薄板と、この尾翼用薄板の上端に両面テープ等を用いて固定した水平尾翼と、尾翼用薄板の後方にヒンジ部を介して取付けた可動垂直尾翼と、前記垂直板の後方段部に設置したモータ及びプロペラと、前記垂直板を水平方向へ貫通する複数の開孔部と、この開孔部に取外し自在に設けた乾電池と無線制御器とを備え、前記胴体板の薄板上端に取外し自在に取付けたカイト翼は、下方に支持板を有する中央角材と、この中央角材の先端で折りたたみ可能としたＡ字型角材とからなる骨組みを有し、この骨組みを介してたるみをもって貼り付けたシートで構成され、これら全体を垂直板と細板とを有する胴体板に組立てて成る無線操縦の組立式模型凧航空機である。
【発明の効果】
【０００９】
本発明は極めて軽量で手持ち発進ができ、無線操縦によってプロペラによる加速推進が容易で広場などでの飛行に安全であり、万一人体に衝突しても全重量を２５０ｇ程度の軽量としているので障害を与える危険が少なく、玩具、ホビー用として年齢を問わずに飛行技術を楽しむことができる。
【００１０】
滞空時間、飛行速度と飛行空間及び範囲、旋回技術その他滑空を含めた飛行競技に各人の創意と工夫を凝らすことができ、水平尾翼が固定されていてもプロペラの回転速度の変化による上昇、下降推進効果及び凧によるロガロ翼効果があり、飛行と滑空を継続させることができ、手元への帰還又は目的地への到達を安全に図ることができる模型凧航空機を提供することができた。
【００１１】
複数の細い角材を用いてＡ字型角材とした骨組みにたるみをもって貼り付けたシートで構成されたカイト翼は、胴体板に取り付け取外し自在とされ、胴体板との角度（仰角）を変えた支持板を用いるか、カイト翼用の薄板の上端の角度を取り替えるかして変化をもたせることも可能である。カイト翼は手で押し出すと同時にたるみ部が膨らんで滑空力が生じると共にプロペラによる推進力と揚力が発揮できるようになっている。
【００１２】
またカイト翼自体は先端から折り畳んで小スペースとして胴体板ともども保管し、搬送し易くすることができる。
【発明を実施するための最良の形態】
【００１３】
バルサ材或いは合成樹脂板のような超軽量な素材で先端にアール状部を有する垂直板とこれに続く細板とを備えた胴体板と、前記細板の後端に設けた固定水平尾翼と可動垂直尾翼と、前記垂直板の後方段部に設けたモータとプロペラと、前記垂直板を水平方向へ貫通する複数の開孔部に取外し自在に設けた乾電池と、無線制御器と、可動垂直尾翼の操作部と、下方に支持板を有する中央角材と、この中央角材の先端で折りたたみ可能とした複数の角材とによりＡ字型骨組みを設け、この骨組みを介してたるみをもたせて合成繊維シートを三角状に張設したカイト翼とから成り、前記カイト翼を前記垂直板の上部に立設した薄板に取外し自在に組み立てた無線操縦の組立式模型凧航空機とした。
【００１４】
カイト翼の仰角を約８度とした。仰角を大きくすると上昇率は大となるが、推進力が劣る。またカイト翼の角材の開き角を９０度としてシート面積を大きくしているが、この角度に変化を持たせたカイト翼を２又は３種類用意しておき、風向き、湿度、温度等の変化に応じて最適なものを選択することもできる。
【００１５】
さらに垂直板に立設したカイト翼用薄板と支持板との係合固定角度を変更自在にしておくと、カイト翼の仰角に変化を付けることもできるようになる。
【実施例１】
【００１６】
図１において、１は胴体板で、頭部にアール部を有する垂直板２とこれに続く細板３とを備えている。４は薄板で尾翼取付用とされ、細板３の後端部に固定されている。水平尾翼５は薄板４に両面テープ等を用いて固定され、垂直尾翼６はヒンジ部を介して薄板4の後方で可動になっている。
【００１７】
７は薄板でカイト翼取付用とされ、垂直板２の上部に立設されている。薄板７の上端は進行方向に向かって仰角を形成するよう約8度傾斜している。図示した例では薄板の中央部に円形の抜き孔を設けて軽量化とひずみ防止をしている。
【００１８】
８は支持板で、前記薄板７と係合してカイト翼を取外し自在に取付けるようになっている（詳細は後に示す）。
９は段部で、垂直板２の後方に設けられ、モータ１０とプロペラ１１が設置される。
段部９の下端には垂直板２の厚みより若干大きい水平状補助板を設けることにより、取付の安定化を図っている。
【００１９】
１２はカイト翼で、図１では点線で示しているが、薄板７を介して取外し自在に胴体板２と係合固定されている。
【００２０】
１３、１４は開孔部で、数箇所で胴体板２を水平方向に貫通し、開孔部の底部には必要に応じて補助板を設置している。開孔部１３には乾電池１５がベルト１６を介して締め付け固定され、無線制御器１７が同様に固定されている。また開孔部１４には、尾翼操作部１８が取付けられ、ワイヤー１９を介して可動垂直尾翼６を駆動するようになっている。
【００２１】
乾電池１５、無線制御器１７、モータ１０及び尾翼操作部１８はそれぞれ結線され、地上からの無線による駆動ができるようになっている。
【００２２】
２０は中央角材で、カイト翼１２を形成する中心部であり、下方に支持部８を設け、垂直板２に立設されている薄板７と係合し、カイト翼の取付ができるようになっている。
【００２３】
２１，２２，２３は角材で、中央角材２０の先端部から両側へ開いてＡ字型骨組みを構成している。角材２３は支持板８の角孔２５を貫通して一体化されている。Ａ字型骨組みを介して合成繊維製のシートがたるみをもって張設され、カイト翼１２を構成している。
【００２４】
図２は主要部の側面図で、カイト翼１２は風を含んで膨らんだ状態を示している。
図３は正面図であり、モータ１０の下端両側に突出しているのは、補助板を示す。図４は背面図である。
【００２５】
図５はカイト翼１２の裏面を示すもので、中央角材２０の下方に設けた支持部８、及び角材２１，２２，２３によるＡ字型骨組みを示す。
【００２６】
図６はカイト翼１２の角材２３を分離してシートを折り畳んで収納又は搬送に便利にした状態を示している。図７はカイト翼１２を折り畳み可能とするため、中央角材２０の先端で、ベルト２４を介して角材２１、２２が取り付けられている状態を示す拡大図である。
【００２７】
図８はカイト翼１２のＡ字型骨組みにおいて、中央角材２０に設けた支持板８が垂直板２の薄板７と係合固定される部分の拡大図である。角材２３が支持板８の角孔２５を貫通しており、支持板８の中央で支持板を挟持すると共に角材２３が支持板７の後端と接触して固定され、前方のピン２６により不動となるようになっている。
【００２８】
図９、図１０は、カイト翼１２を固定した状態を示す。支持板８が薄板７の上端に不動状態で位置規制された後、垂直板２に設けたピン２９へゴムバンド２８を懸け、支持板８のピン２６及び角材２３を経てピン２９へ懸けるようにすると、ゴムの弾発力により支持固定できる。なおこの固定方法は図示した例に限定されない。
【００２９】
カイト翼１２は支持板８によって支持され、重心位置に近く設定固定されているので、風力の保持と滑空力の伝達が効率よく行われる。
【００３０】
胴体板      バルサ材製    全長  ５００ｍｍ
垂直板  高さ    １００ｍｍ    幅  １０ｍｍ    長さ  ２００ｍｍ
細板    高さ      ２５ｍｍ    幅  １０ｍｍ    長さ  ２５０ｍｍ
【００３１】
水平尾翼    バルサ材製  長さ  ２００ｍｍ  幅  ６０ｍｍ  厚み  ２ｍｍ
垂直尾翼    バルサ材製  高さ  １０５ｍｍ  幅  ３５ｍｍ  厚み  ２ｍｍ
薄板        ベニヤ板製  高さ    ６０ｍｍ  幅  ６０ｍｍ  厚み  ２ｍｍ
【００３２】
カイト翼    ナイロン製クロス
中央角材    桧製    角材  ４ｍｍ角      長さ  ４１５ｍｍ  
角材        2本      長さ  ５１０ｍｍ
支持板      ベニヤ板製  長さ１００ｍｍ      上端の仰角  約１２度
重心位置    カイト翼の先端より１８０ｍｍ
モータ      マブチ１８０系  DCモータ  ６V   ３から４Ａ  で１１０００ｒｐｍ
電池        ７．２V    ７００ｍＡh    ニッケル水素充電式
【実施例２】
【００３３】
支持板８と薄板７とを係合する取付部につき、角材２３を溝に挿入すると共にピン３０を支持板と薄板とを同時に貫通するようにして固定した（図１１及び図１３）。
【実施例３】
【００３４】
カイト翼の薄板７への取り付け角度（仰角）を可変とするため、角材２３の軸受部３１と支持板８と薄板7とを貫通するピン３２を設けた  (図１２)。
【産業上の利用可能性】
【００３５】
本発明では、バルサ材のような超軽量な素材を用いているので、先端アール状の垂直板及び細板による胴体板の設計、切出し、組立をする手工業ができる。また合成樹脂板により予め一定規格とした胴体板の連続生産も可能であり、組み立てキットとして製造販売ができる。
【００３６】
胴体板に設ける貫通孔の設計と配置及び無線制御機器による各部の駆動制御にも工夫が必要であり、ホビー製品の製作、カイト翼の設計、プロペラ推進力の設定、無線操縦に必要な技術および、乾電池、無線操縦器の選択、垂直尾翼の操縦器具等の設置等製作技術の創造開発に参加者の意欲を掻き立て競技に向いたホビー製品又は競技用航空機の製造販売産業を作り上げることもできる。
【図面の簡単な説明】
【００３７】
【図１】カイト翼を点線表示した機体全体の斜視図。
【図２】機体の主要部を示す側面図。
【図３】機体全体の正面図。
【図４】同背面図。
【図５】カイト翼の裏面図。
【図６】同カイト翼を分解して折り畳んだ背面図。
【図７】同カイト翼の先端に設けたベルト詳細拡大図。
【図８】カイト翼の取付部の拡大説明図。
【図９】同取付部の拡大側面図。
【図１０】同取付部の拡大正面図。
【図１１】同取付部の他実施例を示す参考図。
【図１２】仰角を可変とした他実施例の参考図。
【図１３】同取付部のさらに他実施例を示す参考図。
【符号の説明】
【００３８】
１    胴体板
２    垂直板
３    細板
４    薄板
５    水平尾翼
６    垂直尾翼
７    薄板
８    支持板
９    段部
１０  モータ
１１  プロペラ
１２  カイト翼
１３  開孔部
１４  開孔部
１５  乾電池
１６  ベルト
１７  無線制御器
１８  尾翼操作部
１９  ワイヤー
２０  中央角材
２１  角材
２２  角材
２３  角材
２４  ベルト
２５  係合孔
２６  ピン
【図１】
2005040407.tif 000003
【図２】
2005040407.tif 000004
【図３】
2005040407.tif 000005
【図４】
2005040407.tif 000006
【図５】
2005040407.tif 000007
【図６】
2005040407.tif 000008
【図７】
2005040407.tif 000009
【図８】
2005040407.tif 000010
【図９】
2005040407.tif 000011
【図１０】
2005040407.tif 000012
【図１１】
2005040407.tif 000013
【図１２】
2005040407.tif 000014
【図１３】
2005040407.tif 000015